(57)【要約】      （修正有）【課題】非侵襲的であり，体外からの施術で排便を促進する装置ならびに方法を提供する。【解決手段】超音波をあてる超音波処置機構と，振動を与えながら吸引を行う振動吸引機構を備えることを特徴とする超音波吸引装置。非侵襲的であり，振動吸引装置を用いることにより，肛門からの挿入等を行うことなしに，体外からの処置のみで排便の促進を行うことが可能となる。加えて，筋組織のしこりの除去も同様の非侵襲的処置により可能である。【選択図】図１
2016002386.tif 000002
【特許請求の範囲】
【請求項１】
超音波をあてる超音波処置機構と，振動を与えながら吸引を行う振動吸引機構を備えることを特徴とする超音波吸引装置
【請求項２】
超音波処置機構により腹部に超音波をあてる超音波処置を行った後，振動吸引機構により腹部に振動を与えながら吸引を行う振動吸引を行うことにより排便促進を行うことを特徴とする請求項１に記載の超音波吸引装置
【請求項３】
超音波処置機構により腹部に超音波をあてる超音波処置を行った後，振動吸引機構により腹部に振動を与えながら吸引を行う振動吸引を行い，これらの処置を４から７日間の間隔で繰り返して行うことにより排便促進を行うことを特徴とする請求項２に記載の超音波吸引装置
【請求項４】
超音波処置の時間が７〜15分，振動吸引の時間が3〜10分であることを特徴とする請求項２又は３に記載の超音波吸引装置
【請求項５】
超音波処置機構により筋組織に超音波をあてる超音波処置を行った後，振動吸引機構により筋組織に振動を与えながら吸引を行う振動吸引を行うことにより筋組織にのしこりの除去を行うことを特徴とする請求項１に記載の超音波吸引装置
【請求項６】
腹部に超音波をあてる超音波処置を行った後，腹部に振動を与えながら吸引を行う振動吸引を行うことにより排便促進を行うことを特徴とする排便促進方法
【請求項７】
筋組織に超音波をあてる超音波処置を行った後，筋組織に振動を与えながら吸引を行う振動吸引を行うことにより筋組織にのしこりの除去を行うことを特徴とするしこり除去方法
【請求項８】
超音波をあてる超音波処置機構と，振動を与えながら吸引を行う振動吸引機構を備えた超音波吸引装置を用いて，超音波処置機構により腹部に超音波をあてる超音波処置を行った後，振動吸引機構により腹部に振動を与えながら吸引を行う振動吸引を行うことにより排便促進を行うことを特徴とする超音波吸引装置の使用方法
【請求項９】
超音波をあてる超音波処置機構と，振動を与えながら吸引を行う振動吸引機構を備えた超音波吸引装置を用いて，超音波処置機構により筋組織に超音波をあてる超音波処置を行った後，振動吸引機構により筋組織に振動を与えながら吸引を行う振動吸引を行うことにより筋組織のしこり除去を行うことを特徴とする超音波吸引装置の使用方法
【発明の詳細な説明】
【技術分野】
【０００１】
本発明は，排便促進やしこり除去などの処置を行うための超音波吸引装置等に関する。
【背景技術】
【０００２】
排便は，本来，毎日あるのが通常の健康な状態であるといえる。しかし，この排便が，３日以上なかったり，便が硬く排便量が少ないため残便感を感じる状態となることがある。このような症状は，一般的に，便秘と呼ばれている。
【０００３】
便秘は，現代社会において，食事の西洋化などもあり，顕著に増加している症状といえる。便秘については女性に多く，日本人女性の半数以上に便秘の症状があるといわれている。そのため，便秘を解消するための種々の市販薬や装置等が開発されている（特許文献１等）。
【先行技術文献】
【特許文献】
【０００４】
【特許文献１】特開２００１−１２９０８３
【特許文献２】特開２００５−２９６２０７
【特許文献３】特開２００７−２６０３１９
【特許文献４】特開２００９−２４７８７７
【発明の開示】
【発明が解決しようとする課題】
【０００５】
先行技術に開示されている排便技術は，肛門から器具等の挿入を行い排便を促進する器具ないし装置に関する技術である。これらの技術は，排便技術としては優れているものではあるが，侵襲的であり，また，若い女性の便秘に対して手軽に行えるとは言い難い。
【０００６】
上記事情を背景として，本発明では，非侵襲的であり，体外からの施術で排便を促進する装置ならびに方法の開発を課題とする。
【課題を解決するための手段】
【０００７】
発明者は，鋭意研究の結果，超音波吸引装置を用いて排便を促進することに着想した。
すなわち，超音波吸引装置を用いて，体外から特殊な刺激を与える等することにより，腸の蠕動運動を活発化させ排便を促進することが可能なことを見出したものである。加えて，発明者は，腸のみならず，筋組織に同様の刺激を与えることにより，筋組織のしこりを除去できることも併せて見出した。これらより，発明者は，排便促進ならびにしこり除去を行う超音波吸引装置ならびに方法に関する発明を完成させたものである。
【０００８】
本発明は，以下の構成からなる。
本発明の第一の構成は，超音波をあてる超音波処置機構と，振動を与えながら吸引を行う振動吸引機構を備えることを特徴とする超音波吸引装置である。
【０００９】
本発明の第二の構成は，超音波処置機構により腹部に超音波をあてる超音波処置を行った後，振動吸引機構により腹部に振動を与えながら吸引を行う振動吸引を行うことにより排便促進を行うことを特徴とする第一の構成に記載の超音波吸引装置である。
本発明の第三の構成は，超音波処置機構により腹部に超音波をあてる超音波処置を行った後，振動吸引機構により腹部に振動を与えながら吸引を行う振動吸引を行い，これらの処置を４から７日間の間隔で繰り返して行うことにより排便促進を行うことを特徴とする第二の構成に記載の超音波吸引装置である。
本発明の第四の構成は，超音波処置の時間が７〜15分，振動吸引の時間が3〜10分であることを特徴とする第二又は第三の構成に記載の超音波吸引装置である。
【００１０】
本発明の第五の構成は，超音波処置機構により筋組織に超音波をあてる超音波処置を行った後，振動吸引機構により筋組織に振動を与えながら吸引を行う振動吸引を行うことにより筋組織にのしこりの除去を行うことを特徴とする第一の構成に記載の超音波吸引装置である。
【００１１】
本発明の第六の構成は，腹部に超音波をあてる超音波処置を行った後，腹部に振動を与えながら吸引を行う振動吸引を行うことにより排便促進を行うことを特徴とする排便促進方法である。
本発明の第七の構成は，筋組織に超音波をあてる超音波処置を行った後，筋組織に振動を与えながら吸引を行う振動吸引を行うことにより筋組織にのしこりの除去を行うことを特徴とするしこり除去方法である。
本発明の第八の構成は，超音波をあてる超音波処置機構と，振動を与えながら吸引を行う振動吸引機構を備えた超音波吸引装置を用いて，超音波処置機構により腹部に超音波をあてる超音波処置を行った後，振動吸引機構により腹部に振動を与えながら吸引を行う振動吸引を行うことにより排便促進を行うことを特徴とする超音波吸引装置の使用方法である。
本発明の第九の構成は，超音波をあてる超音波処置機構と，振動を与えながら吸引を行う振動吸引機構を備えた超音波吸引装置を用いて，超音波処置機構により筋組織に超音波をあてる超音波処置を行った後，振動吸引機構により筋組織に振動を与えながら吸引を行う振動吸引を行うことにより筋組織のしこり除去を行うことを特徴とする超音波吸引装置の使用方法である。
【発明の効果】
【００１２】
本発明により，非侵襲的であり，体外からの施術で排便を促進する装置ならびに方法の提供が可能となった。すなわち，本発明の振動吸引装置を用いることにより，肛門からの挿入等を行うことなしに，体外からの処置のみで排便の促進を行うことが可能となる。加えて，筋組織のしこりの除去も同様の非侵襲的処置により可能である。
【図面の簡単な説明】
【００１３】
【図１】超音波処置を行っている様子を示した図
【図２】超音波処置を行っている様子を示した図
【図３】超音波処置を行っている様子を示した図
【図４】振動吸引処置を行っている様子を示した図
【図５】振動吸引処置を行っている様子を示した図
【発明を実施するための形態】
【００１４】
以下，超音波吸引装置等について説明を行う。
【００１５】
＜＜I．超音波吸引装置の概要＞＞
１．本発明の超音波吸引装置は，超音波処置機構と振動吸引機構を必須の構成とする。
２．超音波処置機構は，腹部や筋組織等に対して超音波を与える役割を果たす。超音波処置機構は，これらの役割を果たす限り特に限定する必要はなく，種々の構成を採用することができる。与える超音波周波数としては，処置を行う被験者の状況を把握して適宜変更することが可能であり，例えば，20KHzから70KHzとすることができる。
３．振動吸引機構は，腹部や筋組織等に対して振動を与えながら吸引を行う役割を果たす。振動吸引機構は，これらの役割を果たす限り特に限定する必要はなく，種々の構成を採用することができる。
４．このような超音波吸引装置として，例えば，CAVI-LIPO-V（株式会社ワールドアソシエイツ社製）を用いればよい。
【００１６】
＜＜II．超音波吸引装置の使用方法＞＞
１．本発明の超音波吸引装置は，超音波処置を行った後，振動吸引処置を行う，これら一連の処置により使用することができる。
２．超音波処置において，排便促進を目的とする場合は腹部，しこり除去を目的とする場合は筋組織等に対してプローブをあて，超音波処置を行う（例えば，図１から３）。
(1)  超音波処置を行う時間については，被験者の便秘やしこりの程度，もしくは体格等に合わせて適宜調整することができる。
(2)  排便促進の場合，超音波処置を継続的に行うことにりより，腹部で「ぐるぐる」というような音を発する場合があり，これが超音波処置を完了する際の時間の目安となる。すなわち，超音波処置を開始して，このぐるぐる音が鳴り始めたら，超音波処置を終了すればよい。
(3)  排便促進，しこり除去，いずれの処置の場合においても，超音波処置の時間を7〜15分とすることが好ましい。これにより，被験者の程度に大きく影響されない十分な処置効果を発揮することが可能となり，施術者によって処置効果が左右されないという効果を有する。
【００１７】
３．振動吸引処置においては，超音波処置後の組織に対して，振動を与えながら吸引処置を行う（例えば，図４，５）。
(1)  振動吸引を行う時間についても，被験者の便秘やしこりの程度，もしくは体格等に合わせて適宜調整することができる。
(2)  振動吸引処置の時間を3〜10分とすることが好ましい。これにより，被験者の程度に大きく影響されない十分な処置効果を発揮することが可能となり，施術者によって処置効果が左右されないという効果を有する。
【００１８】
４．本発明の超音波吸引装置は，これら超音波処置ならびに振動吸引処置を一つの処置として１回で行う。これらの処置を，4から7日間の間隔で繰り返して行うことが好ましい。この継続的な処置により，体質が改善され，便秘やしこりの症状が軽減ないし解消し処置効果を高めるという効果を有する。
【実施例】
【００１９】
本発明について，実施例を用いて詳述するが，本発明の内容を実施例に限定して解釈すべきでないことはいうまでもない。
【００２０】
１．超音波吸引装置としてCAVI-LIPO-V（株式会社ワールドアソシエイツ社製）を用いて，排便促進の効果について検討を行った。
２．超音波処置として10分を，振動吸引処置として5分を目安に，被験者の状態を見ながら適宜処置時間を増減し，処置を行った。
３．被験者は，すべて20代の女性であり，便秘の状態であった。すべての被験者について，処置を６日間隔で２回行い，処置後の状態をアンケートにて収集を行った。
【００２１】
４．被験者Aについての結果を表１に示す。
(1)  被験者Aについて，施術前は，いつもすっきりしない，残便感がある状態とのことで，便通についても１日１回あれば多いほうで，ガスもたまりやすい体質とのことであった。
(2)  施術後は，１日２回便通があることもあり，明らかに便通の回数が増えたとのことであった。
【００２２】
【表１】
2016002386.tif 000003
【００２３】
５．被験者Bについての結果を表２に示す。
(1)  被験者Bについて，施術前は，１〜２日でないことも通常であり，便の状態も球状の硬い便であるとのことであった。
(2)  １回目の施術では大きな変化は得られなかった。しかしながら，２回目の施術以降，毎日便通がみられ，アンケートでも，すごく調子がよく，体調の変化を感じたとのことであった。
【００２４】
【表２】
2016002386.tif 000004
【００２５】
６．被験者Cについての結果を表３に示す。
(1)  被験者Cについて，施術前は便秘の状態であり，数年前に便秘で薬を処方されたこともあるとのことであった。
(2)  １回目の施術で便通がほぼ毎日みられるようになり，２回目の施術では毎日便通が見られ回数も増えるなど，劇的な改善が見られた。
【００２６】
【表３】
2016002386.tif 000005
【００２７】
７．被験者Dについての結果を表４に示す。
(1)  被験者Dについて，かつて便秘で市販薬を飲んでいたこともあったが，施術直前の自覚症状としては薬を飲まないといけないようなひどい便秘状態であった。
(2)  １回目の施術では顕著な変化は見られなかったが，自覚症状として，排便がスムーズにできるようになったとのことであった。２回目の施術以降，３日に１度の便通があり，排便もスムーズとのことであり，自覚症状の大きな改善が見られた。
【００２８】
【表４】
2016002386.tif 000006
【図１】
2016002386.tif 000007
【図２】
2016002386.tif 000008
【図３】
2016002386.tif 000009
【図４】
2016002386.tif 000010
【図５】
2016002386.tif 000011